(57)【要約】【課題】  気泡付水平器は水平器の主力商品であるが、水平基準線・角度計目盛・測定指示機能が無く目測測定が課題。【手段】  液体水平器は液体の自然重力運動を利用する事で、敏速で正確な測定結果を水平線自体が指示する。液体水平器の透視測定面に透視された液体が表す水平線の中心点を基準に、容器の内面壁が同一面で、液体がバランスよく流動できる密閉可能な容器を使用する。  液体水平器本体の透視測定面を持つ、容器に対し、容積の５０％にあたる液体を注入する。液体水平器本体の底辺、素材測定面に平行して容器の透視測定面に映し出される水平線上に平行して、透視測定面の表面に水平基準線を固定表示。  透視された水平線の中心線を基準に透視測定面、及び液体水平器本体外縁透視測定面に角度計目盛を表示。  液体水平器本体の素材測定面に与えられた素材に対し、透視測定面に遮断され映し出された水平線は、即時、正確な測定結果を水平線自体が直接指示する。【特許請求の範囲】
【請求項１】
液体水平器本体の透視測定面を持つ容器に対し、容積の５０％にあたる液体を注入する。
液体が注入された、液体水平器の透視測定面に遮断された液体があらわす水平線の中心線を基準に、容器の内面壁が同一面で、注入された液体がバランスよく流動できる密閉可能な容器を使用する。
液体水平器本体の底辺、素材測定面に平行して容器の透視測定面に映し出される水平線上に平行して、透視測定面の表面に水平基準線を固定表示。
液体水平器本体の透視測定面に液体があらわす水平線の中心点を基準に容器の透視測定面の表面、及び液体水平器本体外縁に角度計目盛を固定表示。
液体のあらわす自然重力運動と透視測定面に遮断された液体による水平線を応用した事で、素材測定物を一発測定、正確な測定結果を水平線自体が指示。
液体のあらわす自然重力運動と水平線を応用開発したのが、請求項  １の液体水平器。
【発明の詳細な説明】
【技術の分野】
【０００１】  本発明の液体水平器は、液体の自然重力運動を利用する事により、敏速で正確な測定結果を透視測定面に透視された水平線自体が指示する。
液体水平器本体の透視測定面を持つ容器に対し、容積の５０％にあたる液体を注入する。
透視測定面に透視された、水平線の中心点を基準に液体水平器の容器の内面壁が同一面で液体がバランスよく流動できる密閉可能な容器を使用する。
液体水平器に注入された、液体が透視測定面に遮断され、液体によって写し出される水平線の中心点を基準に透視測定面、及び液体水平器本体透視測定面外縁に角度計目盛を表示。
本発明に搭載の液体水平器に、素材測定面・角度計目盛を持つ測定台を設けた事により測定台の底辺測定面に平行して、液体水平器の透視測定面に遮断され写された水平線上に平行し、水平基準線を透視測定面の表面に固定表示する。
透視測定面に映し出された水平線が測定素材に対し、即時、正確な水平測定、角度測定などの測定結果を水平線が直接指示する。
液体の自然重力運動と水平線を応用した技術を特徴とし、開発したのが液体水平器。
【背景の技術】
【０００２】  従来から使用の気泡付き水平器は、液体に浮かぶ気泡自体に測定基準となる印が無く中心点の無い気泡を液体内に閉じ込め、気泡が最上部に達した地点を水平地点とし、使用者が目測によって水平線である事を確認決定をしなければならない。
気泡自体に直接測定結果を指示する機能が無く、水平確認が難しく、正確な水平測定は不可能な状況にある。
【発明の概要】
【発明が解決しようとする課題】
【０００３】  従来の気泡による水平器は目測による測定器であり、気泡自体に水平をさざめる正確な指示機能が無く、液体に浮かぶ気泡が最高位に達した処を目測測定に頼る水平器で測定器からの直接指示の無い難しい水平器であった。
気泡搭載の水平器には、指示機能が無く、水平基準位置もなく応用測定を可能とする水平基準線・角度計目盛を設けるには無理な水平器であった。
角度測定が出来ない水平測定のみの気泡装置を複数搭載した多機能型気泡水平器は複雑に大型化した事で、個々の測定装置が絡みあい協調性がなく、応用機能もなく、性能を充分に発揮できない状況下にあった。
本発明の液体水平器は、これらの不都合を解消する事を課題とし、発明したのが液体水平器である。
【課題を解決するための手段】
【０００４】  液体水平器本体の透視測定面を持つ容器に対し、容積の５０％にあたる液体を注入する。
液体が注入された、液体水平器の透視測定面に透視される水平線の中心点を基準に、容器の内面壁が同一面で液体がバランスよく流動できる密閉可能容器を使用。
液体水平器の透視測定面を持つ容器に封じ込めた液体は、液体による自然重力運動により、透視測定面に透視された水平線は測定素材に対し即時反応し、水平測定、角度測定の結果を水平線自体が測定結果を直接指示する。
液体水平器の底辺にあたる素材測定面に平行して、液体水平器の透視測定面に写し出された水平線上に水平基準線を固定表示する。
透視測定面に写し出された水平線の中心線を基準に透視測定面、及び液体水平器本体外縁に角度計目盛を固定表示する。
液体水平器の液体による水面は、透視測定面により遮断され、写し出された水平線は測定素材に対し、水平測定・角度測定・角度差測定など、即時正確な測定結果を水平線が直接指示する。
本発明の、液体水平器は従来の気泡水平器に代わり、単一の測定器として、敏速・正確な水平測定・角度測定・応用測定など液体水平器は多角化応用測定を可能にした。
この様な特徴を課題とし、重力と水平線を応用し。開発を図ったのが液体水平器。
【発明の効果】
【０００５】１、液体水平器内の液体は、液体の重力運動により、与えられた素材に対し、液体水平器の透視測定面に遮断され写し出された水平線は、即時、正確な水平測定・角度測定角度差測定・応用測定などの測定結果を水平線自体が直接指示する事を可能にした。
２、透視測定面に写し出された水平線の中心点を基準に透視測定面、及び液体水平器透視測定面外縁に角度計目盛りを固定表示する。
３、液体が注入された、液体水平器の透視測定面に透視される水平線の中心線を基準に容器の内面壁が同一面で円柱容器・直円錐容器・直曲面容器など液体がバランスよく流動できる密閉可能な容気の使用する事で、直円錐容器の円錐面、直円曲面容器の曲面の頂点を基準にリング状水平基準線、リング状角度計目盛を装備する事により、液体水平器を倒し、平面使用する事で測定素材の平面測定を可能にした。
４、液体の平面測定を利用する事で平面盤の水平測定・平面盤の角度測定・平面盤の表面の凹凸測定など液体水平器の応用測定範囲を広げた。、
５、液体水平器は水平基準線・角度計目盛・リング状水平基準線・リング状目盛りを液体水平器本体に搭載した事で応用測定範囲を拡大した。
６、液体水平器を伸縮物差しに応用する事で、測定素材間の空間水平測定・空間距離測定・空間角度測定を可能にした、この三測定を同時測定する事を可能にした。
７、液体水平器を取り付けた巻尺の伸縮物差しの先端部に二つ目の液体水平器を取り付ける事で、測定素材間の空間水平測定・空間距離測定・空間角度測定・この三測定を同時測定を可能とした。
８、液体水平器を取り付けた巻尺は、水平線による測定結果を示す指示機能をととのえポケットに入る巻尺は最小の水平器付き伸縮物差しである。
本発明の液体水平器は巻尺など工具に装備する事で応用範囲の拡大可能、正確な多機能応用水平器として成し遂げたのが液体水平器。
【発明を実地するための最良の形態】
【０００６】（イ）本発明の液体水平器本体搭載の液体は摩擦による抵抗力が無く液体の自然動力運動を原動力として応用したものである。
（ロ）透視測定面を持つ容器を使用
（ハ）容器の容積に対し５０％の液体を注入
（ニ）容器に注入された液体は透視測定面に遮断され、水平線として透視、透視された水平線の中心点を基準に容器の内面壁が同一面の容器を使用。
（ホ）液体水平器の素材測定面に平行して、水平線が透視測定面に透視、透視された水平線上に平行して水平基準線を固定表示。
（ヘ）透視された水平線の中心点を基準に透視測定面、及液体水平器本体外縁に角度計目盛りを表示。
液体の自然重力運動と水平線を応用した技術を特徴とし、開発を成し遂げたのが液体水平器。
本発明は以上のような構成から成り立っています。
【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
液体水平器本体の透視測定面を持つ容器に対し、容積の５０％にあたる液体を注入する。
液体が注入された、液体水平器の透視測定面に遮断された液体があらわす水平線の中心点を基準に、容器の内面壁が同一面で、注入された液体がバランスよく流動できる密閉可能な容器を使用する。
液体水平器本体の底辺、素材測定面に平行して容器の透視測定面に映し出される水平線上に平行して、透視測定面の表面に水平基準線を固定表示。
液体水平器本体の透視測定面に液体があらわす水平線の中心点を基準に容器の透視測定面の表面、及び液体水平器本体外縁透視測定面に角度計目盛を固定表示。
液体のあらわす自然重力運動と透視測定面に遮断された液体による水平線を応用した事で、素材測定物をー発測定、正確な測定結果を水平線自体が指示。
液体のあらわす自然重力運動と水平線を応用開発したのが、請求項  １の液体水平器。
【手続補正書】
【提出日】平成26年12月9日(2014.12.9)
【手続補正１】
【補正対象書類名】明細書
【補正対象項目名】全文
【補正方法】変更
【補正の内容】
【発明の詳細な説明】
【技術の分野】
【０００１】  本発明の液体水平器は、液体の自然重力運動を利用する事により、敏速で正確な測定結果を透視測定面に透視された水平線自体が測定結果を指示する。
液体水平器本体の透視測定面を持つ容器に対し、容積の５０％にあたる液体を注入する。
透視測定面に透視された、水平線の中心点を基準に液体水平器の容器の内面壁が同一面で、注入された液体がバランスよく流動できる密閉可能な容器を使用する。
液体水平器に注入された、液体が透視測定面に遮断され、液体によって映し出される水平線の中心点を基準に透視測定面、及び液体水平器本体外縁透視測定面に角度計目盛を表示。
本発明に搭載の液体水平器に、素材測定面・角度計目盛を持つ測定台を設けた事により測定台の底辺測定面に平行して、液体水平器の透視測定面に遮断され映された水平線上に平行して、水平基準線を透視測定面の表面に固定表示する。
透視測定面に映し出された水平線が測定素材に対し、即時、正確な水平測定、角度測定などの測定結果を水平線が直接指示する。
液体の自然重力運動と水平線を応用した技術を特徴とし、開発したのが液体水平器。
【背景の技術】
【０００２】  従来から使用の気泡付き水平器は、液体に浮かぶ気泡自体に測定基準となる印が無く、中心点に印の無い気泡を液体内に閉じ込め、気泡が最上部に達した地点を水平線とし、使用者が目測によって水平線である事を確認決定をしなければならない。
気泡自体に直接測定結果を指示する機能が無く、水平確認の決定が難しく、正確な水平測定は不可能な状況にある。
【発明の概要】
【発明が解決しようとする課題】
【０００３】  従来の気泡による水平器は目測による測定器であり、気泡自体に水平を定める正確な指示機能が無く、液体に浮かぶ気泡が最高位に達した処を目測測定に頼る水平器で測定器からの直接測定指示の無い難しい水平器であった。
気泡搭載の水平器には、指示機能が無く、水平基準位置もなく応用測定を可能とする水平基準線・角度計目盛を設けるには無理な水平器であった。
角度測定が出来ない水平測定のみの気泡装置を複数搭載した多機能型気泡水平器は複雑に大型化した事で、個々の測定装置が絡みあい協調性がなく、応用機能もなく、多機能型気泡水平器は性能を充分に発揮できない状況下にあった。
本発明の液体水平器は、これらの不都合を解消する事を課題とし、発明したのが液体水平器である。
【課題を解決するための手段】
【０００４】  液体水平器本体の透視測定面を持つ容器に対し、容積の５０％にあたる液体を注入する。
液体が注入された、液体水平器の透視測定面に透視される水平線の中心点を基準に、容器の内面壁が同一面で、注入された液体がバランスよく流動できる密閉可能な容器を使用。
液体水平器の透視測定面を持つ容器に封じ込めた液体は、液体による自然重力運動により、透視測定面に透視された水平線は測定素材に対し即時反応し、水平測定、角度測定の結果を水平線自体が測定結果を直接指示する。
液体水平器の底辺にあたる素材測定面に平行して、液体水平器の透視測定面に映し出された水平線上に水平基準線を固定表示する。
透視測定面に映し出された水平線の中心線を基準に透視測定面、及び液体水平器本体外縁透視測定面に角度計目盛を固定表示する。
液体水平器の液体による水面は、透視測定面により遮断され、映し出された水平線は測定素材に対し、水平測定・角度測定・角度差測定など、即時正確な測定結果を水平線が直接指示する。
本発明の、液体水平器は従来の気泡水平器に代わり、単一の測定器として、敏速・正確な水平測定・角度測定・応用測定など液体水平器は多機能応用測定を可能にした。この様な特徴を課題とし、重力と水平線を応用し、開発を図ったのが液体水平器。
【発明の効果】
【０００５】１、液体水平器内の液体は、液体の重力運動により、与えられた素材に対し、液体水平器の透視測定面に遮断され映し出された水平線は、即時、正確な水平測定・角度測定・角度差測定・応用測定などの測定結果を水平線自体が直接指示する事を可能にした。
２、透視測定面に映し出された水平線の中心点を基準に透視測定面、及び液体水平器本体外縁透視測定面に角度計目盛りを固定表示する。
３、液体が注入された、液体水平器の透視測定面に透視される水平線の中心点を基準に容器の内面壁が同一面で円柱容器・直円錐容器・直曲面容器など液体がバランスよく流動できる密閉可能な容器を使用する事で、直円錐容器の円錐面・直円曲面容器の曲面の頂点を基準にリング状水平基準線、リング状角度計目盛を装備する事により、液体水平器を倒し、平面使用する事で測定素材の平面測定を可能にした。
４、液体水平器を倒して、平面測定を利用する事で平面盤の水平測定・平面盤の角度測定・平面盤の表面の凹凸測定など液体水平器の応用測定を広げた。
５、液体水平器は水平基準線・角度計目盛・リング状水平基準線・リング状目盛りを液体水平器本体に搭載した事で応用測定範囲を拡大した。
６、液体水平器を伸縮物差しに応用する事で、測定素材間の空間水平測定・空間距離測定・空間角度測定を可能にした、この三測定を同時測定する事を可能にした。
７、液体水平器を取り付けた巻尺の伸縮物差しの先端部に二つ目の液体水平器を取り付ける事で、測定素材間の空間水平測定・空間距離測定・空間角度測定・この三測定の同時測定を可能にした。
８、液体水平器を取り付けた巻尺は、水平線による測定結果を示す指示機能をととのえポケットに入る巻尺は最小の水平器付き長尺伸縮物差しとして開発を図った。
本発明の液体水平器は巻尺など工具に装備する事で、応用範囲の拡大可能、正確な多機能応用水平器として成し遂げたのが液体水平器。
【発明を実地するための最良の形態】
【０００６】（イ）本発明の液体水平器本体搭載の液体は摩擦による抵抗力が無く液体の自然重力運動を原動力として応用したものである。
（ロ）透視測定面を持つ容器を使用。
（ハ）容器の容積に対し５０％の液体を注入。
（ニ）液体が注入された、液体透視測定面に遮断され、水平線として透視、透視された水平線の中心点を基準に、容器の内面壁が同一面で、注入された液体がバランスよく流動できる密閉可能な容器を使用。
（ホ）液体水平器の素材測定面に平行して、水平線が透視測定面に透視、透視された、水平線上に平行して水平基準線を固定表示。
（ヘ）透視された水平線の中心点を基準に透視測定面、及び液体水平器本体外縁透視測定面に角度計目盛を標示。
液体の自然重力運動と水平線を応用した技術を特徴とし、開発を成し遂げたのが液体水平器。
本発明は以上のような構成から成り立っています。